(57)【要約】【課題】内容物が変質するというトラブルを防止し、組み立てやすく、かつ耐久性がすぐれた、新しい構造のディスペンサーポンプを提供する。【解決手段】容器（１）の開口部に結合されるスクリューキャップ（２）と、その上端に昇降可能なように配置され、ノズル（４）を備えたボタン（３）と、ボタン（３）の下部に結合されたステム（６）と、上端部がスクリューキャップ（２）に結合し下端部の開口部（１５）にチェックバルブ（１４）を備えたシリンダーハウジング（１０）と、このシリンダーハウジング（１０）に昇降可能なようにステム（６）下端に結合されたピストン（９）と、その周縁部に結合されたシーリング部材（１２）とからなるディスペンサーポンプにおいて、ステム（６）の上部に配置され、上部ストッパー（２１）によりその位置が規制される上部リング部材（２２）と、ステム（６）の下部、ピストン（９）の上部に位置する下部リング部材（２４）とを有し、上部リング部材（２２）および下部リング部材（２４）との間にスプリング（８）を弾性的に挿入したもの。【選択図】　図３
2004067237.tif 000002
【特許請求の範囲】
【請求項１】
容器（１）の開口部に結合されるスクリューキャップ（２）と、このスクリューキャップ（２）の上端に昇降可能なように配置され、ノズル（４）を備えたボタン（３）と、このノズル（４）と連通するようにボタン（３）の下部に結合されたステム（６）と、上端部は前記スクリューキャップ（２）に結合し下端部の開口部（１５）にはチェックバルブ（１４）を備えたシリンダーハウジング（１０）と、このシリンダーハウジング（１０）内で昇降可能なように前記ステム（６）の下端に結合されたピストン（９）と、前記ピストン（９）の周縁部に結合されたシーリング部材（１２）とからなるディスペンサーポンプにおいて、これらに加え、さらに、前記ステム（６）の上部に配置され、上部ストッパー（２１）によりその位置が規制される上部リング部材（２２）と、前記ステム（６）の下部に配置され、ピストン（９）の上部に位置する下部リング部材（２４）とを有し、前記上部リング部材（２２）と下部リング部材（２４）との間にスプリング（８）を弾性的に挿入したことを特徴とするディスペンサーポンプ。
【発明の詳細な説明】
【０００１】
【発明が属する技術分野】
本発明はディスペンサーポンプに関し、詳しくは、内容物が変質するというトラブルを防止し、組み立てやすく、かつ耐久性にすぐれた、新しい構造のディスペンサーポンプに関する。
【０００２】
【従来の技術】
化粧品、洗剤その他の液状またはペースト状の内容物を収容する容器は、その開口部にディスペンサーポンプを結合して、内容物を所定量ずつ吐出するようになっている。図１は、従来のそうしたディスペンサーポンプの構造を示す。この図に見るとおり、ディスペンサーポンプは、容器（１）の上端開口部にネジでかみ合うスクリューキャップ（２）の上端に、ノズル（４）を有するボタン（３）を備えている。このボタン（３）の下部には、ステム（６）と、それに結合されたピストン（９）が、シリンダーハウジング（１０）に内蔵されているスプリング（８）により昇降可能なように配置されている。このピストン（９）の周縁部には、シーリング部材（１２）が設けてある。シリンダーハウジング（１０）の内部において、下端にはボール状のチェックバルブ（１４）が配置されており、その下端には開口部（１５）が形成されている。
【０００３】
符号（５）は、スクリューキャップ（２）の外部を覆うアルミニウム製のキャップをあらわし、符号（１６）はオーバーキャップをあらわし、符号（１８）はガスケットをあらわす。そして、符号（２０）を付した部品は、エアレスタイプのディスペンサーに使用するピストンとして、容器（１）内部の真空吸引力により上昇し、内容物を上昇させるはたらきをする。
【０００４】
このような構成であるから、ボタン（３）を押すと、ステム（６）とピストン（９）とがスプリング（８）の弾性力に反して下降し、シリンダーハウジング（１０）の中の内容物を、ステム（６）内部の通路を通してノズル（４）から吐出させる。このとき、チェックバルブ（１４）はシリンダーハウジング（１０）の下端をふさぐ。逆に、ボタン（３）を放すと、スプリング（８）の弾性によりステム（６）とピストン（９）とが上昇し、チェックバルブ（１４）が開いて、容器（１）内部の内容物がシリンダーハウジング（１０）内に流入する。
【０００５】
しかし、図１のような従来のディスペンサーポンプにおいては、鋼などの金属製のスプリング（８）がシリンダーハウジング（１０）内に内蔵されているので、化粧品等の内容物が、金属製のスプリング（８）に接触することになる。するとスプリング（８）に錆が生じ、それに接触した内容物が変質するという問題が生じる。
【０００６】
このような問題に着目して、スプリング（８）をシリンダーハウジング（１０）に内蔵させず、図２のように、ボタン（３）の内部底面とスクリューキャップ（２）の上面との間に配置して、金属製のスプリング（８）が内容物と直接触れないようにしたディスペンサーポンプが提案された。
【０００７】
しかし、この構造のディスペンサーポンプは、組立段階で、ステム（６）にピストン（９）が結合したステム・サブアセンブリー、シリンダーハウジング（１０）とチェックバルブ（１４）とからなるシリンダーハウジング・サブアセンブリー、およびスプリング（８）の三つの部品があり、組み立てるべきサブアセンブリーの数が相対的に多く、組立工程が複雑であり、組立のために広いスペースを占めるので、自動化した装置により組み立てる場合にも、組み立てる部品数が多く、部品の供給装置および組立装置が複雑になるという問題があった。また、スプリング（８）が直接ボタン（３）の底面を弾性的に加圧するので、ステム（６）に嵌合しているボタン（３）が、嵌合が緩くなるにつれ、スプリング（８）の加圧力によってステム（６）から容易に抜け出す、という問題もあった。
【０００８】
【発明が解決しようとする課題】
本発明は、上述したような従来のディスペンサーポンプがもつ問題点に着目して提案するものであり、本発明の目的は、ディスペンサーポンプの金属製スプリング（８）が内容物と直接接触しない構造とすることにより、スプリングの腐食および内容物の変質を防ぐ一方で、組立段階におけるサブアセンブリーの数が少なく、組立工程が簡単であり、自動組立装置の構成も単純化することができる、新しい構造のディスペンサーポンプを提供することにある。それとともに、本発明の目的は、スプリング（８）の弾性力によりボタン（３）がステム（６）から容易に抜け出すということがない、耐久性にすぐれた、新しい構造のディスペンサーポンプを提供することにある。
【０００９】
【課題を解決するための手段】
本発明のディスペンサーポンプは、容器（１）の開口部に結合されるスクリューキャップ（２）と、このスクリューキャップ（２）の上端に昇降可能なように配置され、ノズル（４）を備えたボタン（３）と、このノズル（４）と連通するようにボタン（３）の下部に結合されたステム（６）と、上端部は前記スクリューキャップ（２）に結合し下端部の開口部（１５）にはチェックバルブ（１４）を備えたシリンダーハウジング（１０）と、このシリンダーハウジング（１０）に昇降可能なように前記ステム（６）の下端に結合されたピストン（９）と、前記ピストン（９）の周縁部に結合されたシーリング部材（１２）とからなるディスペンサーポンプにおいて、これらに加え、さらに、前記ステム（６）の上部に配置され、上部ストッパー（２１）によりその位置が規制される上部リング部材（２２）と、前記ステム（６）の下部に配置されピストン（９）の上部に位置する下部リング部材（２４）とを有し、前記上部リング部材（２２）と下部リング部材（２４）との間にスプリング（８）を弾性的に挿入したことを特徴とする。
【００１０】
【発明の実施形態】
以下、図面を参照して本発明の好適な実施例を説明する。図３は本発明のディスペンサーポンプの一例について、その構造を示す図であり、図示のとおり、本発明のディスペンサーポンプは、容器（１）の開口部に結合されるスクリューキャップ（２）と、このスクリューキャップ（２）の上端に昇降可能なように配置され、ノズル（４）を備えたボタン（３）と、このノズル（４）と連通するようにボタン（３）の下部に結合されたステム（６）と、上端部は前記スクリューキャップ（２）に結合し、下端部の開口部（１５）にはチェックバルブ（１４）を備えたシリンダーハウジング（１０）と、このシリンダーハウジング（１０）に昇降可能なように前記ステム（６）の下端に結合されたピストン（９）と、前記ピストン（９）の周縁部に結合されたシーリング部材（１２）とからなることは、従来のディスペンサーポンプと同様である。
【００１１】
しかし、本発明においては、ボタン（３）を弾性的に昇降させる金属製スプリング（８）が、シリンダーハウジング（１０）の外部のステム（６）と組合わされる。スプリング（８）は、ステム（６）の上部に配置された上部リング部材（２２）と、ステム（６）の下部ピストン（９）の上部に配置された下部リング部材（２４）との間に、弾性的に設置される。
【００１２】
上部リング部材（２２）は、ステム（６）の上部に突出するように形成されたストッパー（２１）に係止されて、その上端の位置が規制される。ストッパー（２１）は、その上面がテーパをもった形に形成されていて、上部リング部材（２２）と下部リング部材（２４）とを押し込んだときに、それらがストッパー（２１）を通過して配置することができる。上部リング部材（２２）および下部リング部材（２４）には、それぞれスプリング（８）を係止する突出部が形成されている。組み立て時には、ステム（６）の上部から、下部リング部材（２４）、スプリング（８）および上部リング部材（２２）を押し込む。すると、上部リング部材（２２）と下部リング部材（２４）とは、ストッパー（２１）のテーパ面に沿って、強制的に押し込まれる。
【００１３】
上述のような構成であるから、使用者がボタン（３）を押すと、ボタン（３）とステム（６）とがともに下降し、ステム（６）の下部のピストン（９）によって、シリンダーハウジング（１０）内の内容物が、ステム（６）の中空部およびボタン（３）のノズル（４）を通して吐出され、スプリング（８）は圧縮される。続いて使用者がボタン（３）を放すと、スプリング（８）の弾性力によりボタン（３）とステム（６）とがともに上昇し、このとき、シリンダーハウジング（１０）の内部の真空吸引力によりチェックバルブ（１４）が開き、容器内部の内容物がシリンダーハウジング（１０）内に流込して、ポンピング作用が遂行される。
【００１４】
本発明においては、金属製スプリング（８）がシリンダーハウジング（１０）の外部に配置されていて、内容物と接触することがないから、スプリング（８）の腐食や内容物の変質が防げる。また、このような構成を採用すれば、製品の組立段階で金属製のスプリング（８）が、ステム（６）の上部リング部材（２２）および下部リング部材（２４）の間に押し込まれた状態で、ステム（６）とピストン（９）を含むステム・サブアセンブリーとして一体に取り扱われるため、ディスペンサーポンプの作動部は、ステム・サブアセンブリーとシリンダーハウジング・サブアセンブリーの二つの部品のみで構成され、製品の組立工程が単純となり、それだけ組み立てに必要なスペースは減り、自動組立装置も相対的に単純に構成することができる。
【００１５】
スプリング（８）が直接ボタン（３）の底面を弾性的に支持する構造でないため、ステム（６）の上端に配置したボタン（３）が、スプリング（８）の弾性力により容易に抜け出すことが避けられ、製品の耐久性が増大する。
【００１６】
【発明の効果】
以上説明したとおり、本発明によれば、ディスペンサーポンプの金属製のスプリング（８）がシリンダーハウジング（１０）の外部に配置され、内容物と直接接触することがなく、スプリングの腐食や内容物の変質が防止できるうえ、組立段階で、スプリング（８）を別体に取り扱うことなくステム・サブアセンブリーとして一体に取り扱うことができるから、組立段階におけるサブアセンブリーの数が少なく、組立工程が簡単となり、自動組立装置の構成も単純化することができる。それとともに、本発明のディスペンサーポンプにおいては、スプリング（８）がボタン（３）の底面に直接弾性的に接触していないので、ボタン（３）がステム（６）から容易に抜け出すことがなく、耐久性が高められている。
【図面の簡単な説明】
【図１】従来のディスペンサーポンプの一例について、その構造を示す縦断面図。
【図２】従来のディスペンサーポンプの別の例について、その構造を示す縦断面図。
【図３】本発明のディスペンサーポンプの構造を示す縦断面図。
【符号の説明】
１　容器　　　　　　　　　　　２　スクリューキャップ
３　ボタン　　　　　　　　　　４　ノズル
６　ステム　　　　　　　　　　８　スプリング
９　ピストン　　　　　　　　１０　シリンダーハウジング
１２　シーリング部材　　　　１４　チェックバルブ
２２　上部リング部材　　　　２４　下部リング部材
【図１】
2004067237.tif 000003
【図２】
2004067237.tif 000004
【図３】
2004067237.tif 000005